(57)【要約】【課題】緩衝作用を大きくしても、建具を逆方向へ移動する際に抵抗が大きくなりすぎず、閉めにくくならないこと。【解決手段】雄体１は、一端部に挿入部３が形成され、両外側面に接触部５・５を設けてある。接触部５・５は、２枚の帯状で内側面は上方が狭い斜面部８・８で、その間に調整ねじ６を設けてある。調整ねじ６は、回動すると上下方向に移動してその頭部が斜面部８・８を上下することによって、接触部５・５の外側面間の寸法を調整できる。雌体２は、基体１２に受片９及び弾性体１０を取り付けて成る。基体１２は、底板部１３の前方側部に平行に立ち上げた一対の挟持片１４・１４を設け、後端部に受板部１５を設けてある。挟持片１４・１４の後端に位置するように受片９を配置し、この受片９と受板部１５との間に圧縮ばねの弾性体１０を配設してある。雄体１の当接部４と雌体２の弾性体１０とで反発機構Ｘを構成する。【選択図】図１
2005299136.tif 000002
【特許請求の範囲】
【請求項１】
建具と枠体のいずれか一方に取り付けられる雄体と、建具と枠体のいずれか他方に取り付けられる雌体を有し、雄体に設けた挿入部が雌体に設けた一対の挟持片の間を通る際に建具の開放時又は閉鎖時の衝撃を緩和するよう成した建具用緩衝装置において、雄体と雌体に反発機構を設け、挿入部が挟持片の間を通る際に、反発機構によって反発エネルギーを蓄え得るよう成し、挿入部が挟持片の間を離脱する方向に建具が移動する時に、蓄えられた反発エネルギーによって建具の移動を後押しし得ることを特徴とする建具用緩衝装置。
【発明の詳細な説明】
【技術分野】
【０００１】
本発明は、建具と枠体に取り付けて使用するものであって、建具を開放又は閉鎖する際に、その衝撃を緩和して建具の枠体への衝突音の発生やはね返りを極力防止することができる建具用緩衝装置に関するものである。
【背景技術】
【０００２】
従来より、特開２００３−４９５７９号発明のように、雄体（制動受片）と雌体（制動部材）から構成され、雌体（制動部材）を対の摺動板から構成し、この摺動板の間隔の広がりを調整し得るようにして、制動力を調整可能とした引戸用制動装置は提案されている。
【特許文献１】特開２００３−４９５７９号公報
【発明の開示】
【発明が解決しようとする課題】
【０００３】
上記従来例を引戸の開放側に使用した場合、引戸を開放する際の制動力を大きく調整すると、逆に、閉鎖しようとする時の抵抗も大きくなり、閉めにくくなるという問題があり、本発明は、この問題を解決することを課題としている。
【課題を解決するための手段】
【０００４】
本発明は、上記の課題を解決するために、建具と枠体のいずれか一方に取り付けられる雄体と、建具と枠体のいずれか他方に取り付けられる雌体を有し、雄体に設けた挿入部が雌体に設けた一対の挟持片の間を通る際に建具の開放時又は閉鎖時の衝撃を緩和するよう成した建具用緩衝装置において、雄体と雌体に反発機構を設け、挿入部が挟持片の間を通る際に、反発機構によって反発エネルギーを蓄え得るよう成し、挿入部が挟持片の間を離脱する方向に建具が移動する時に、蓄えられた反発エネルギーによって建具の移動を後押しし得るようにして成るものである。
【発明の効果】
【０００５】
以上のように本発明によれば、建具を開放（又は閉鎖）する際の衝撃を緩和する作用を大きくしても、その際に反発エネルギーを蓄え得るように構成しているので、逆に建具を閉鎖（又は開放）方向に移動する時に、その蓄えられた反発エネルギーによって建具の移動を後押しすることになり、比較的楽に建具を閉鎖することができるようになっており、緩衝作用を大きくしても、建具を逆方向へ移動する際に抵抗が大きくなりすぎず、閉めにくく（又は開けにくく）なることがないという効果がある。
【実施例】
【０００６】
本発明の第１実施例を図１〜図８を参照して説明する。
本発明の建具用緩衝装置は、枠体Ｗに取り付ける雄体１と、建具Ｈに取り付ける雌体２を有している。建具Ｈの上端面には全長に亘って凹溝が設けられ、その中に上方に突出するよう型材１６が設けられ、雌体２は、その型材１６に取り付けられる。
【０００７】
雄体１は、弾性を有する合成樹脂で製されて、雌体２に挿入する挿入部３が形成され、挿入部３の一端部に当接部４及び両外側面に接触部５・５を設けてある。この接触部５・５は、２枚の帯状で内側面は上方が狭い斜面部８・８になっており、その間に調整ねじ６を上下できるように設けてある。
この調整ねじ６は、回動すると上下方向に移動するようになっており、その頭部が斜面部８・８を上下することによって、接触部５・５は外側方に突出したり引っ込んだりして、外側面間の寸法を調整することができるようになっている。
【０００８】
そして、挿入部３の反対端部を戸当り面Ｍに接触させた状態にして、鴨居溝Ｋの上内面にこの雄体１を、取付ねじ７・７で固定するものである。
【０００９】
雌体２は、金属板を成形した基体１２に受片９及び弾性体１０を取り付けて成るものである。基体１２は、細長い底板部１３の前方側部に平行に立ち上げた一対の挟持片１４・１４を設け、後端部に受板部１５を立ち上げて設けてある。この挟持片１４・１４の間に、雄体１の挿入部３が挿入して接触部５・５の外側面が挟持片１４・１４の内側面に接触して緩衝するようになっている。
【００１０】
また、挟持片１４・１４の後端に位置するように受片９を配置し、この受片９と受板部１５との間に圧縮ばねの弾性体１０を配設してある。そして、受片９及び弾性体１０を取り付けられた基体１２を、型材１６の端部に固定し、さらにその外側に合成樹脂製の端部キャップ１１を型材１６に固定する。端部キャップ１１は、外方に開いた形状になっており、雄体１の挿入部３が雌体２の挟持片１４・１４間に挿入する時に、左右位置が多少ずれても案内されて挿入され得るようになっている。なお弾性体１０は、本実施例のような圧縮ばねの他、空気ばねやゴム等が考えられる。
【００１１】
この第１実施例では、雄体１に設けた当接部４と、雌体２に設けた弾性体１０とで反発機構Ｘを構成し、弾性体１０の弾性エネルギーを反発エネルギーとしている。
【００１２】
そして、雌体２が固定された型材１６を、建具Ｈ上端の凹溝部に固定するものであるが、もちろん雌体２を建具Ｈ上端に直接取り付けてもよい。
なお、本実施例においては、雄体１を枠体Ｗに、雌体２を建具Ｈに取り付けてあるが、逆に雄体１を建具Ｈに、雌体２を枠体Ｗに取り付けてもよいし、また、雄体１に当接部４を、雌体２に弾性体１０を設けてあるが、逆に雄体１に弾性体１０を、雌体２に当接部４を設けてもよい。
【００１３】
つまり、建具Ｈと枠体Ｗのいずれか一方に取り付けられる雄体１と、建具Ｈと枠体Ｗのいずれか他方に取り付けられる雌体２を有し、雄体１に設けた挿入部３が雌体２に設けた一対の挟持片１４・１４の間を通る際に建具Ｈの開放時又は閉鎖時の衝撃を緩和するよう成した建具用緩衝装置であって、挿入部３が挟持片１４・１４の間を通る際に、雄体１と雌体２のいずれか一方に設けた当接部４が雄体１と雌体２のいずれか他方に設けた弾性体１０に直接又は間接的に当接し、弾性体１０が変形され弾性エネルギーを蓄え得るよう成し、挿入部３が挟持片１４・１４の間を離脱する方向に建具Ｈが移動する時に、弾性エネルギーが蓄えられた弾性体１０が建具Ｈの移動を後押しし得るようになっていればよい。
【００１４】
次にこの第１実施例を建具Ｈの開放側に設けた場合の動きを図６〜図８に基づいて説明する。
建具Ｈを開放していくと、建具Ｈに間接的に取り付けられている雌体２が、枠体Ｗに取り付けられた雄体１に近づき（図６の状態）、雄体１の挿入部３が相対的に雌体２の挟持片１４・１４の間に挿入し、接触部５・５が挟持片１４・１４の内側面に接触しながら移動して緩衝され、当接部４が受片９に当接する（図７の状態）。さらに建具Ｈが移動すると、弾性体１０が押されて変形しつつ緩衝もして、建具Ｈは戸当り面Ｍに当接し、完全に開放される（図８の状態）。弾性体１０が押されて変形している状態では、この弾性体１０に弾性エネルギーが蓄えられている状態であるが、接触部５・５と挟持片１４・１４の摩擦力等によって建具Ｈは静止している。
【００１５】
完全に開放された状態から建具Ｈを閉鎖方向に移動すると、接触部５・５が挟持片１４・１４の内側面に接触しているので抵抗となるが、弾性エネルギーが蓄えられた弾性体１０が建具Ｈの移動を後押しすることになり、比較的楽に建具を閉鎖することができる。
【００１６】
なお、この第１実施例では、雄体１の当接部４が弾性体１０に受片９を介して間接的に当接するようになっているが、もちろん直接的に当接するようにしてもよい。
【００１７】
図９に示すものが第２実施例であり、第１実施例と同様に、挿入部１９を設けた雄体１７と、挟持片２１・２１を設けた雌体１８を有し、この挟持片２１・２１の間に、雄体１７の挿入部１９が挿入して、挿入部１９に設けた接触部２０・２０の外側面が挟持片２１・２１の内側面に接触して緩衝するようになっているものである。
そして、反発機構Ｙとして、雄体１７と雌体１８にそれぞれ同極が対向するよう磁石２２と磁石２３を設けたものであり、この場合磁石２２と磁石２３の斥力が反発エネルギーとなる。
【００１８】
次にこの第２実施例を建具の開放側に設けた場合の動きを説明する。なお、建具と枠体は第１実施例と同様であるので図示していないし、動きを段階的に表わす図面も省略する。
建具を開放していくと、建具に取り付けられている雌体１８が、枠体に取り付けられた雄体１７に近づき、雄体１７の挿入部１９が相対的に雌体１８の挟持片２１・２１の間に挿入し、接触部２０・２０が挟持片２１・２１の内側面に接触しながら移動して緩衝され、磁石２２と磁石２３が接近する。磁石２２と磁石２３が接近すると、斥力が大きくなり緩衝もして、建具は戸当り面に当接し、完全に開放される。完全に開放された状態で、磁石２２と磁石２３が接触しないような構造にしてもよいし、接触するようにしてもよいが、接触する場合は、磁石２２と磁石２３の一方又は両方にゴム等のクッション材を設けるとよい。磁石２２と磁石２３が接近又は接触している状態では、磁石２２と磁石２３の斥力による反発エネルギーが蓄えられている状態であるが、接触部２０・２０と挟持片２１・２１の摩擦力等によって建具は静止している。
【００１９】
完全に開放された状態から建具を閉鎖方向に移動すると、接触部２０・２０が挟持片２１・２１の内側面に接触しているので抵抗となるが、磁石２２と磁石２３の斥力が建具の移動を後押しすることになり、比較的楽に建具を閉鎖することができる。
【図面の簡単な説明】
【００２０】
【図１】第１実施例を表わす図面であって、要部の斜視図である。
【図２】第１実施例を表わす図面であって、型材に雌体を取り付けて型材を一部切り欠いた状態の斜視図である。
【図３】第１実施例を表わす図面であって、雄体の斜視図である。
【図４】図３のＰ−Ｐ線断面図である。
【図５】第１実施例を表わす図面であって、雌体の分解斜視図である。
【図６】第１実施例を表わす図面であって、（Ａ）は縦断面図、（Ｂ）は（Ａ）のＱ−Ｑ線断面図であり、雄体の当接部が雌体の受片に当接する直前の状態を示している。
【図７】第１実施例を表わす図面であって、（Ａ）は縦断面図、（Ｂ）は（Ａ）のＲ−Ｒ線断面図であり、雄体の当接部が雌体の受片に当接した状態を示している。
【図８】第１実施例を表わす図面であって、（Ａ）は縦断面図、（Ｂ）は（Ａ）のＳ−Ｓ線断面図であり、雄体の当接部が雌体の受片に当接して弾性体が押されて変形している状態を示している。
【図９】第２実施例を表わす図面であって、要部の斜視図である。
【符号の説明】
【００２１】
Ｈ    建具
Ｗ    枠体
Ｘ    反発機構
Ｙ    反発機構
１    雄体
２    雌体
３    挿入部
４    当接部
５    接触部
９    受片
１０    弾性体
１４    挟持片
１７    雄体
１８    雌体
１９    挿入部
２０    接触部
２１    挟持片
２２    磁石
２３    磁石
【図１】
2005299136.tif 000003
【図２】
2005299136.tif 000004
【図３】
2005299136.tif 000005
【図４】
2005299136.tif 000006
【図５】
2005299136.tif 000007
【図６】
2005299136.tif 000008
【図７】
2005299136.tif 000009
【図８】
2005299136.tif 000010
【図９】
2005299136.tif 000011